(57)【要約】      （修正有）【課題】結婚式などのセレモニーにおいて採用されるアトラクションの一種であるシャンペンタワーに使用するグラスタワー台であって、小型化、設置の容易性、清掃の簡易性を実現する。【解決手段】卓上でのグラスタワーを容易に配置できるよう、設置する際に必要となる水平を出す事が可能な水平調整装置と、グラスタワーを設置場所に合わせて演出するＬＥＤ照明装置３と、脱着可能な透光性の水毀れ防止トレイ１と、閃光調整中板２を設置する事で使用後の清掃を簡単にし、台本体に電源を内蔵する内部電源装置６を持つことで設置場所を選ばすに容易に設置が可能となる。【選択図】図１
2010042109.tif 000002
【特許請求の範囲】
【請求項１】
中板と、上面が水平な透光性の水毀れ防止トレイ１と、ＬＥＤ照明装置３ＬＥＤ点灯回路、およびＬＥＤ点灯回路をオン、オフするスイッチが実装されたデジタル集積回路１１と、ＬＥＤ照明装置３を内部に備えると共に内部電源装置６を内蔵する本体とで構成され、透光性の水毀れ防止トレイ１と・閃光調整中板２は取外し可能に装着されるとともに、外部電源出力４ディスプレイ用外部電源出力をもつ卓上型グラスタワー台。
【請求項２】
スイッチの操作部が外部に露出しない構造にして内部への水の浸入を防ぎ、また滑りを防止してグラスが転倒しないようにする。グラスタワー台上面１にグラスタワー構築を簡単にするためにグラス配置目印を、グラスの各脚位置に対応する位置に目印を有した２を有した、グラスの閃光調整可能な中板の上部に水毀れ防止トレイを配置し、卓上との水平を調整するためのレベリング機能７を有する卓上型グラスタワー台。
【請求項３】
卓上にて容易に使用でき遠隔操作機能が可能にする受信装置１２とＬＥＤ照明装置３による演出効果機能を備えた請求項１記載の卓上型グラスタワー台。
【発明の詳細な説明】
【技術分野】
【０００１】
本発明は、結婚式やその他のセレモニーなどその他パーティーにおいて採用されるアトラクションの一種であるシャンペンタワーに使用するグラスタワー台に関するものである。        
【背景技術】
【０００２】
前記のグラスタワー台はグラスの加重を支える台座が必要で、実施には外部電源が必要など設置に不便で多くのライトによる熱によってシャンペンの鮮度が落ち、積み上げられたグラスのタワーは不安定で移動ができない物であったが従来は実用上十分であった。更にグラスタワー台は組み立てが容易にはできないが大掛かりな物でパーティーなどのセレモニーのアトラクションとして大きい物が支流で卓上サービスなどができる小型な物となると光度が落ち優美で可憐なグラスタワーとはかけ離れたものとなる。などの問題点を有している。
【０００３】
また近年グラスタワー台は、鑑賞用として普及しており、人目を惹くことなどから集客力のあるディスプレイとしても使用でき、高い演出効果が見込まれるが、近年の不景気によりシャンペンも高価なものであるので、小型で少量のシャンペンの使用で十分な演出効果が発揮できることが望ましい。
【０００４】
そこで本発明は、従来までの大掛かりなグラスタワーではなく、卓上で実施が容易になされる、前記した小型少量での使用可能で実施が容易になされる新規なグラスタワー台を提案したものである。
【発明の開示】
【発明が解決しようとする課題】
【０００５】
解決しようとする課題はグラスタワー台の小型化と内部照明機器による発熱をなくて、グラスタワーの設置を容易にできるようにし、持ち運びや卓上での使用と清掃などのしやすくする点である。
【０００６】
【非特許文献１】ガレージ  エーコード  ＬＥＤアクリルサインプレート販売  ホームページ
【課題を解決するための手段】
【０００７】
本発明のグラスタワー台は、台内部にグラスタワー形成を容易にするための７水平レベリングをとりつけられており設置の場所に合わせて水平にし、グラスタワーから流れ落ちる液体を受け止める脱着可能な、周囲に適当な高さの縁壁部のある閃光を妨げない透光性の水毀れ防止トレイ１をもうけることで、使用後の清掃とグラスタワーの積み上げを容易にし、閃光の調整をする中板２を透光性の水毀れ防止トレイ１と本体１３の間に設けることによりグラスタワーの加重を支えグラスタワーの安定性と十分な光量をグラスタワー台とグラスに当てることを特徴としたものである。
【発明の効果】
【０００８】
本発明のグラスタワー台は、グラスタワーの美しさだけではなく台本体も設置場所の雰囲気を引き立てる照明効果により、設置場所を選ばず少量のシャンペンで使用ができ持ち運びが便利という利点があり、ディスプレイなどでの使用も電源の心配なく使用ができることなど省電力で閃光の強いＬＥＤライトを仕様することで少設計ながらも、セレモニーでのアトラクションとして手軽に楽しめるという利点があり演出効果が多彩なバリエーションがあることなどから各種イベントの引き立て役としての効果が見込まれている。
【発明を実施するための最良の形態】
【０００９】
本発明の実施形態について説明する。実施形態はグラスタワー設置までの例について示した。実施形態のグラスタワー台は、透光性の水毀れ防止トレイ１グラストレイと閃光調整中板２を固定部Ａ８固定部Ｂ９本体１３とその内部にあるＬＥＤ照明装置３と水平調整装置７とで構成される。グラスタワー台は卓上の上に設置し本体内部の水平調整装置７を見ながら調整式脚５の調整で水平に本体１３をしたら閃光調整中板２を取り付けその上に透光性の水毀れ防止トレイ１を載せ、次に閃光調整中板２の各グラス脚位置に対応した閃光調整式グラス配置目印１０に合わせてグラスを配置することでグラスタワーを容易に積み上げることができ、台内のＬＥＤ照明装置３によりグラスタワーを輝かせることで、シャンパンに含まれる炭酸や色合いなどを損なわずに実現した。
【実施例】
【００１０】
発明の実施例として、ＬＥＤ照明装置３に色彩豊かなバリエーションとＬＥＤライト閃光量の調整又はＩＣリレーによるデジタル集積回路１１にプログラム効果をもたせる事によって視覚的に豊かになり演出効果としストロボを内蔵することで、ただ単純にグラスを照らすのではなく小さいながらも迫力のある演出をすることができ、通常のグラスタワー台よりも必要とする液体は少なくて済み、更に内部にバッテリーなどの充電可能な内部電源装置６有する事で長時間の使用が可能となり、更にグラスを少なくしたにも関わらず、その反射光を考慮すると、通常の大掛かりなグラスタワー台よりも綺麗な雰囲気を醸し出すものである。
【００１１】
最近ではグラスタワーに果物などのフルーツを盛付けてサービスする方法もあり、フルーツなどの色彩豊かなデコレーションをされたグラスを照らす台としても有効で色彩を受信装置１２で遠隔操作できるようにしリモコンを使用することで遠隔操作が可能となり、結婚式のアトラクションとして最適である。使用の際には室内を暗くして行うとより、荘厳な雰囲気とすることできその場やタイミングに合わせた雰囲気を楽しむことができる。
【００１２】
尚本発明のグラスタワー台の形状は正方形に限ったものではない、円形や三角形など、特にトレイにグラスタワーの形成が可能な形状であれば、形状を限るものではない。
【００１３】
本発明をディスプレイとして使用時には、ガラス細工などの照明機器としても使用が可能である。又グラスタワーを使用時には使用液体として、二液反応型の発光（蛍光）液体を使用するなどの工夫をする事で長時間の鑑賞用アトラクションを容易に実現できるようにしたものである。
【産業上の利用可能性】
【００１４】
グラスタワー台を容易に組み建てることができ、組み立てた後の移動が容易にでき電源の確保の困難な場所での使用が可能、結婚式などのゲストテーブルにてグラス台としての使用が見込まれる。
【図面の簡単な説明】
【００１５】
【図１】グラスタワーの設置台実施方法を示した説明図。
【図２】ＬＥＤ照明装置および内部構造説明図。
【図３】閃光調整中板の配置目印を示した図。
【符号の説明】
【００１６】
１    透光性の水毀れ防止トレイ
２    閃光調整中板
３    ＬＥＤ照明装置
４    外部電源入力
５    調整式脚
６    内部電源装置
７    水平調整装置
８    固定部Ａ
９    固定部Ｂ
１０  閃光調整式グラス配置目印
１１  デジタル集積回路
１２  受信装置
１３  本体
【図１】
2010042109.tif 000003
【図２】
2010042109.tif 000004
【図３】
2010042109.tif 000005